(57)【要約】【課題】ソケットの脱落を防止する【解決手段】  本発明に係るソケット脱落防止バンド１０は、例えば、ソケット（図示しない）に接続するための取付金具１と、装着部２とで構成されている。装着部２は、取付金具１に接続されており、かつ第１の円周部３ｃと、第１の円周部３ｃに接続された第２の円周部３ｄとを有する。ソケットの第１の円周部３ｃはインパクトドライバーの胴体上部から後端部に向けて取り付けられ、第２の円周部３ｄはインパクトドライバーの後端部を覆うように取り付けられるため、万が一ソケットがインパクトドライバーから外れた場合においても、ソケットが落下することはない。【選択図】  図１
2010115715.tif 000002
【特許請求の範囲】
【請求項１】
ソケットに接続するための取付金具と、装着部とで構成されるソケット脱落防止バンドであって、前記装着部が、前記取付金具に接続されており、かつ第１の円周部と、第１の円周部に接続された第２の円周部とを有することを特徴とするソケット脱落防止具。
【請求項２】
第２の円周部が、弾性体で構成されていることを特徴とする請求項１に記載のソケット脱落防止具。
【請求項３】
第１の円周部の全部または一部が、弾性体で構成されていることを特徴とする請求項１または２に記載のソケット脱落防止具。
【発明の詳細な説明】
【技術分野】
【０００１】
本発明は、工具用ソケット（インパクトドライバーなどの工具に取り付けることができるソケット。以下、単に「ソケット」という。）の脱落を防止するための装着具に関する。
【背景技術】
【０００２】
従来、ボルトやナットの締め付けは、ラチェット機能などを利用した手工具を使用したり、インパクトレンチにソケットを取付けたりして行われていた。これは、ソケットには締め付け時に大きなトルクが必要となるので、従来のインパクトドライバーでは出力が不足していたからである。しかし、近年、インパクトドライバーの出力が飛躍的に向上しているとともに、扱いやすい充電式インパクトドライバーに使用されるバッテリーの長寿命化も手伝って、インパクトドライバーに取付け可能なソケットが人気となっている。
【０００３】
特許文献１および２では、従来のソケットは、ソケット部を主体にした材料選定であることから、耐摩耗性および硬度が低く、軸棒の対角部の摩損が早いこと、耐衝撃性が低いために折損、ねじれ、亀裂、破断等のダメージを受けることなどの従来技術の課題が挙げられている。これらの文献に記載の発明では、ソケット自体の構成を調整して、軸棒の抜け止めや局部的なダメージを防止することができるようにされている。
【０００４】
【特許文献１】特許第２５０１７４４号公報
【特許文献２】特開２００６−１７５５２３号公報
【発明の開示】
【発明が解決しようとする課題】
【０００５】
上記の特許文献１および２に記載されるように、軸棒の破損を防止するべく、ソケット自体の構成を調整したものについては種々開示されているが、従来、ソケットがインパクトドライバーから外れた場合の対策はなされていない。しかし、例えば、軸棒（「ドライバービット」とも呼ばれる。）が折れるなど破損することもある。また、ドライバービットを着脱自在にしたソケットでは、ドライバービットを着脱するための手段が破損することも考えられる。この場合の作業性、他の作業者への危険性を考慮すると、その対策が必要不可欠である。
【０００６】
そこで、本発明者らは、鋭意研究を行った結果、工具取付部の外周に、周方向への摺動が可能なように取り付けられた治具と、インパクトドライバーに取り付けたソケット脱落防止具とを接続することによって、ソケットの脱落を防止できることを見出した。
【０００７】
本発明者らは、ソケット脱落防止具の形状について更に詳細に検討を行った。本発明者らはまず、部品点数が少ないことが製造コストの観点、使用感向上の観点から望ましいと考え、できる限り簡単な構成のソケット脱落防止具について検討した。
【０００８】
図１１〜１３は、本発明者らが前段階として検討した簡単な構成のソケット脱落防止具の装着状態を模式的に表した図を示し、図１４および１５は、簡単な構成のソケット脱落防止具を示している。
【０００９】
本発明者らが前段階として検討した簡単な構成のソケット脱落防止具は、例えば、図１１に示すように、インパクトドライバー８に、工具取付部（ソケットの後端部に接続された部分）の外周に摺動可能に取り付けられた治具胴体部７ｂと、前記治具胴体部７ｂに取り付けられたリング７ｃとを有するソケット７を取り付けた状態で、ソケット脱落防止具の取付金具１をリング７ｃに取り付けるとともに、ソケット脱落防止具の円周部３ｅをインパクトドライバー８の胴体上部から後端部８ａに向けて取り付けたものである。この構成を有するソケット脱落防止具は、上記のように、万が一ソケット７がインパクトドライバー８から外れた場合でもその落下を防止することができる。
【００１０】
この構成のソケット脱落防止具としては、例えば、図１４に示すものを使用できる。図１４に示す例における円周部３ｅとしては、例えば、ゴムなどの弾性体を用いたものを採用できる。図１４に示すソケット脱落防止具においては、帯部３ｇの長さは、適宜調整することができる。
【００１１】
図１２に示す本発明者らが前段階として検討した簡単な構成のソケット脱落防止具は,
図１１に示す例と同様に、ソケット脱落防止具の取付金具１をリング７ｃに取り付けるとともに、ソケット脱落防止具の円周部３ｅをインパクトドライバー８の後端部８ａ付近で取り付けたものである。図１１に示す例と比較して、円周部３ｅの円周が小さいものを使用するのがよい。但し、円周部３ｅとして弾性体を用いることもできるが、使用回数が増加し、締め付けが緩むとソケットの脱落防止効果が低下する。
【００１２】
従って、図１２に示す例を採用する場合には、例えば、図１５に示すソケット脱落防止具を用いるのがよい。即ち、図１５に示すソケット脱落防止具においては、取付金具１の後端に弾性部１ａと金具１ｂとが備え付けられ、円周部３ｅには、取付部３ｆが備え付けられており、取付金具１に接続された金具１ｂが円周部３ｅに取り付けられることによって、取付金具１を円周部３ｅに取り付けることができる。この状態で、取付金具１をソケットのリング７ｃに取付け、円周部３ｅをインパクトドライバー８の後端部８ａに取り付けることができる。
【００１３】
なお、図１５に示す例における円周部３ｅとしては、図１４の場合と同様、弾性体を用いることができるが、例えば、ホースの結束に用いられる合金製のリングで構成されるホースバンドその他の金具を用いて、取付金具１を固定しても良い。また、図１５に示す例では、取付金具１と金具１ｂとの間に弾性部１ａがある例を示しているが、弾性部１ａは省略可能である。また、取付金具１と金具１ｂとの接続は、ワイヤ等の高強度の材料を用いるのが好ましいが、弾性体を用いても良い。
【００１４】
図１３に示す本発明者らが前段階として検討した簡単な構成のソケット脱落防止具は,
ソケット脱落防止具の取付金具１をリング７ｃに取り付けるとともに、ソケット脱落防止具の円周部３ｅをインパクトドライバー８の前端部付近に取り付けたものである。図１１に示す例と比較して、帯部３ｇの長さが短く、円周部３ｅの円周が小さいものを使用するのがよい。
【００１５】
以上、本発明者らが前段階として検討した簡単な構成のソケット脱落防止具の例を示したが、いずれも円周部３ｅが一つだけである点において共通している。そして、いずれの構成を採用しても、ある程度のソケット脱落防止効果が認められるが、インパクトドライバーの形状がメーカによって様々であること、作業者の使用環境が様々であることなどから、ソケット脱落防止が不十分となることが予測される。
【００１６】
本発明らは、このような観点から更なる研究を重ねた結果、ソケット脱落防止具の装着部には、二つの円周部を設けることが必要であることを見出し、本発明を完成させた。
本発明はこのような観点で完成したものであり、ソケットの脱落を防止するための装着具を提供することを目的とする。
【課題を解決するための手段】
【００１７】
本発明は、「ソケットに接続するための取付金具と、装着部とで構成されるソケット脱落防止具であって、前記装着部が、前記取付金具に接続されており、かつ第１の円周部と、第１の円周部に接続された第２の円周部とを有することを特徴とするソケット脱落防止具。」を要旨とする。
【００１８】
本発明のソケットの脱落防止具において、第２の円周部は、弾性体で構成されていることが好ましい。また、第１の円周部の全部または一部が、弾性体で構成されていることが好ましい。
【発明の効果】
【００１９】
本発明によれば、万が一ソケットがインパクトドライバーから外れた場合においても、ソケットが脱落することはない。このため、高所での作業をする場合の作業性を高めると共に、ソケット脱落による危険を回避することができる。
【発明を実施するための最良の形態】
【００２０】
以下、図を用いて本発明の実施形態の例を説明する。
【００２１】
図１は、本発明に係るソケット脱落防止バンドの例を示す斜視図であり、図２は、本発明に係るソケット脱落防止バンドをインパクトドライバーに取り付けた状態を示す図である。
【００２２】
図１に示すように、本発明に係るソケット脱落防止具（バンド）１０は、例えば、ソケット（図示しない）に接続するための取付金具１と、装着部２とで構成されている。装着部２は、取付金具１に接続されており、かつ第１の円周部３ｃと、第１の円周部３ｃに接続された第２の円周部３ｄとを有する。
【００２３】
本発明に係るソケット脱落防止バンド１０は、例えば、図２に示すようにインパクトドライバー８に取り付けられる。
【００２４】
すなわち、例えば、インパクトドライバー８に、工具取付部（ソケット部７ａの後端部に接続された部分）の外周に摺動可能に取り付けられた治具胴体部７ｂと、前記治具胴体部７ｂに取り付けられたリング７ｃとを有するソケット７を取り付けた状態で、ソケット脱落防止バンド１０の取付金具１をリング７ｃに取り付ける。そして、ソケット脱落防止バンド１０の第１の円周部３ｃをインパクトドライバー８の胴体上部から後端部８ａに向けて取り付けた後、第２の円周部３ｄをインパクトドライバー８の後端部８ａを覆うように取り付ける。
【００２５】
本発明に係るソケット脱落防止バンド１０は、上記のように、第１の円周部３ｃおよび第２の円周部３ｄを有しているために、万が一ソケット７がインパクトドライバー８から外れた場合においても、ソケット７が落下することはない。
【００２６】
ここで、取付金具１としては、ソケット７側に取り付けられたリングその他の取付金具と接続可能なものであれば、特に制約はないが、ソケット７側の取付金具がリングなどの開閉出来ないものであるか、開閉が困難であるものである場合には、取付金具１としては、開閉可能なフックを用いることができる。例えば、各種のスナップフック、スプリングフック、カラビナ、リングキャッチ、チェーンキャッチ、ワリカンなどを用いることができる。特に、図１に示すような、スナップフックの後端部にスイベル（回転可能に取り付けられた継ぎ手）を有するものが好ましい。
【００２７】
取付金具１としては、ソケットの脱落時の衝撃やインパクトドライバーの使用時の振動に耐えうる十分な強度を持ち、また、屋外で使用するため、さびにくい素材を用いたものが好ましく、ステンレス製のものが好ましい。
【００２８】
装着部２については、特に制約はないが、インパクトドライバー８の種類によって、その胴体、後端部、グリップなどのサイズが異なること、インパクトドライバー８の使用時の作業に支障がないこと、ソケット脱落時の保持力を確保する必要があることなどから、装着部２をインパクトドライバー８の形状に合わせてしっかりと固定できるように、装着部２は、長さ調整ができる構成のものを使用する。長さ調整の手段としては、後述のように、弾性体を用いるのが製造コストの観点などから好ましいが、ホック、マジックテープ（登録商標）などの面ファスナーを用いてもよい。
【００２９】
インパクトドライバーの後端部８ａのサイズは、製造メーカ、品種などによって異なるため、取付の作業性を考慮すると、第２の円周部３ｄには、伸縮自在な素材、すなわち、弾性体を用いるのが好ましい。ただし、弾性体の締め付け力が弱いと、ソケットの脱落時の衝撃やインパクトドライバーの使用時の振動に耐得ることができないため、例えば、脚絆、ゲートル、スポーツ用品などに使用される締め付け力が強いゴムバンドを用いることができる。
【００３０】
第１の円周部３ｃについても、ある程度伸縮可能であれば、インパクトドライバー８への装着が容易になるため、弾性体を用いるのが好ましい。しかし、第１の円周部３ｃは、インパクトドライバー８の胴体上部から後端部８ａに向けて取り付けるために第２の円周部３ｄよりも長いことから、インパクトドライバー８の振動の影響を受けやすい。従って、第１の円周部３ｃについては、その全部を弾性体で構成するよりも、その一部、特に、第２の円周部３ｄと接続する部分のみを弾性体で構成することが好ましい。
【００３１】
この場合、例えば、図１に示すように、第１の円周部３ｃのうち、取付金具１に接続する帯前部３ａを伸縮しない素材とし、帯後部３ｂは伸縮素材とし、これらをリベット４およびカン５を介して接続し、更に、第１の円周部３ｃの帯後部３ｂと第２の円周部３ｄとを接合部材６で接続することができる。そして、第１の円周部３ｃの帯前部３ａには、各種のコキ９を用いて、帯前部３ａの開き度合を調整することにより、第１円周部３ｃの周長を調整することができるので、インパクトドライバー８との固定を強固にできる。接合部材６は、インパクトドライバー８と接触する部分であるから、皮革その他の柔軟でありながら、破れにくい素材を用いるのが好ましい。
【００３２】
なお、第２の円周部３ｄについても、上掲の各種のカンを用いれば、伸縮しない素材の帯を使用しても長さ調整が可能である。但し、上述のように、装着の容易性の観点からは、特に、第２の円周部３ｄには弾性体を用いるのが好ましい。
【００３３】
本発明に係るソケット脱落防止バンド１０は、このような構成を有しているので、これをソケットの後端に取り付けた場合に、ソケット７の回転を阻害することなく、インパクトドライバー８に接続することができる。このため、万が一ソケット７がインパクトドライバー８から外れても、落下することはなく、作業性を向上させると共に、危険を未然に防止することができる。
【００３４】
以下、図４〜１０を用いて、本発明に係るソケット脱落防止具の他の実施態様について説明する。
図４〜６および９は、本発明に係るソケット脱落防止具の他の実施態様における装着状態を模式的に表した図を示し、図７、８および１０は、本発明に係るソケット脱落防止具を示している。
【００３５】
図４に示すように、本発明に係るソケット脱落防止具の他の例は、例えば、ソケット脱落防止具の取付金具１をリング７ｃに取り付けるとともに、ソケット脱落防止具の第１の円周部３ｃをインパクトドライバー８の前端部付近に取り付けると共に、第２の円周部３ｄをインパクトドライバー８の胴体上部から後端部８ａの下部に向けて取り付けることができる。このような構成のソケット脱落防止具としては、例えば、図７に示すソケット脱落防止具における第１の円周部３ｃと第２の円周部３ｄとの間隔を短くすると共に、第２の円周部３ｄの円周を第１の円周部３ｃのそれより大きくしたものを用いることができる。また、図４に示すように、大小二つの円周部の一部を重ね合わせた状態で接合したものを使用しても良い。
【００３６】
図５に示すように、本発明に係るソケット脱落防止具の他の例は、例えば、ソケット脱落防止具の取付金具１をリング７ｃに取り付けるとともに、ソケット脱落防止具の第１の円周部３ｃをインパクトドライバー８の胴体上部から後端部８ａの下部に向けて取り付けけると共に、第２の円周部３ｄを後端部８ａからグリップ部８ｂに取り付けることができる。このような構成のソケット脱落防止具としては、例えば、図１に示すソケット脱落防止具を用いることができる。
【００３７】
図６に示すように、本発明に係るソケット脱落防止具の他の例は、例えば、ソケット脱落防止具の取付金具１をリング７ｃに取り付けるとともに、ソケット脱落防止具の第１の円周部３ｃをインパクトドライバー８の前端部付近で取り付けけると共に、第２の円周部３ｄを後端部８ａ付近で取り付けることができる。このような構成のソケット脱落防止具としては、例えば、図７または図８に示すソケット脱落防止具を用いることができる。なお、図７に示す例では、第１の円周部３ｃおよび第２の円周部３ｄを帯状体で接合したものであるが、図８に示すように、第１の円周部３ｃおよび第２の円周部３ｄは、紐状体で接合したものを採用してもよい。また、上記の帯状体および紐状体はいずれも、伸縮性のあるものでも、ないものでもよいが、伸縮性のあるものが好ましい。
【００３８】
図９および図１０に示すように、本発明に係るソケット脱落防止具としては、例えば、カバー状部材で構成される装着部に取付金具１を取り付けたものを用いることができる。この例では、例えば、ソケット脱落防止具の取付金具１をリング７ｃに取り付けるとともに、カバー状部材の第１の円周部３ｃにインパクトドライバー８の前端部に通し、例えば、図１０（ａ）に示すように、カバー状部材の第２の円周部３ｄを引っ張りながら、インパクトドライバー８の後端部８ａの下部に取り付けることができる。第２の円周部３ｄのインパクトドライバー８の後端部８ａ下部への取付け方法としては、図１０（ａ）に示すものに制限されず、例えば、図１０（ｂ）に示すように、ホックを用いたもの、図１０（ｃ）に示すように、面ファスナーを用いたものを採用することができる。なお、図１０（ａ）に示す例は、例えば、ゴム等の伸縮素材を用いるのがよいが、図１０（ｂ）または（ｃ）に示す例では、比較、布などの伸縮性がない素材を用いても良い。
【００３９】
本発明において使用することができるソケットには特に制約はないが、例えば、図３に示すように、ソケット７の工具取付部（図示しない）の外周に摺動可能に取り付けられた治具胴体部７ｂと、治具胴体部７ｂに取り付けられたリング７ｃとを有する脱落防止治具７ｆを備えるものが好ましい。また、治具胴体部７ｂは、円筒部７ｄおよびフランジ７ｅを備えるものであるが、フランジ７ｅの位置には制約がない。
【００４０】
ソケット７には、特に制限はない。例えば、一つの径だけに対応したソケットであっても良いし、異なる複数のソケットに対応したソケットであっても良い。また、工具への取付のためのドライバービットを固定したものでもよいし、ドライバービットを着脱自在にしたものでもよい。
【産業上の利用可能性】
【００４１】
本発明によれば、万が一ソケットがインパクトドライバーから外れた場合においても、ソケットが脱落することはない。このため、高所での作業をする場合の作業性を高めると共に、ソケット脱落による危険を回避することができる。
【図面の簡単な説明】
【００４２】
【図１】本発明に係るソケット脱落防止バンドの例を示す斜視図
【図２】本発明に係るソケット脱落防止バンドをインパクトドライバーに取り付けた状態を示す図
【図３】本発明において使用することができるソケットの例を示す図
【図４】本発明に係るソケット脱落防止具の他の実施態様における装着状態を模式的に表した図
【図５】本発明に係るソケット脱落防止具の他の実施態様における装着状態を模式的に表した図
【図６】本発明に係るソケット脱落防止具の他の実施態様における装着状態を模式的に表した図
【図７】本発明に係るソケット脱落防止具の他の実施態様を模式的に表した図
【図８】本発明に係るソケット脱落防止具の他の実施態様を模式的に表した図
【図９】本発明に係るソケット脱落防止具の他の実施態様における装着状態を模式的に表した図
【図１０】本発明に係るソケット脱落防止具の他の実施態様を模式的に表した図
【図１１】本発明者らが前段階として検討した簡単な構成のソケット脱落防止具の装着状態を模式的に表した図
【図１２】本発明者らが前段階として検討した簡単な構成のソケット脱落防止具の装着状態を模式的に表した図
【図１３】本発明者らが前段階として検討した簡単な構成のソケット脱落防止具の装着状態を模式的に表した図
【図１４】本発明者らが前段階として検討した簡単な構成のソケット脱落防止具を模式的に表した図
【図１５】本発明者らが前段階として検討した簡単な構成のソケット脱落防止具を模式的に表した図
【符号の説明】
【００４３】
１    取付金具
１ａ  弾性部
１ｂ  金具
２    装着部
３ａ  帯前部
３ｂ  帯後部
３ｃ  第１の円周部
３ｄ  第２の円周部
３ｅ  円周部
３ｇ  帯部
４    リベット
５    カン
６    接合部材
７    ソケット
７ａ  ソケット部
７ｂ  治具胴体部
７ｃ  リング
７ｄ  円筒部
７ｅ  フランジ
７ｆ  脱落防止治具
８    インパクトドライバー
８ａ  後端部
８ｂ  グリップ部
９    コキ
１０  本発明に係るソケット脱落防止具（バンド）
【図１】
2010115715.tif 000003
【図２】
2010115715.tif 000004
【図３】
2010115715.tif 000005
【図４】
2010115715.tif 000006
【図５】
2010115715.tif 000007
【図６】
2010115715.tif 000008
【図７】
2010115715.tif 000009
【図８】
2010115715.tif 000010
【図９】
2010115715.tif 000011
【図１０】
2010115715.tif 000012
【図１１】
2010115715.tif 000013
【図１２】
2010115715.tif 000014
【図１３】
2010115715.tif 000015
【図１４】
2010115715.tif 000016
【図１５】
2010115715.tif 000017